(57)【要約】      （修正有）【課題】撮影した画像データと実体物とを関連付ける機能を有するカメラ及び画像機器を提供する。【解決手段】遊園地、記念館、お寺等の入場料や拝観料を払った後の半券などのチケット１などを入手し（Ｓ１）、デジタルカメラでチケット１に関連する写真２を撮影し（Ｓ２）、その写真２をカメラ３の表示画面４でプレビューし（Ｓ３）、所望の写真２が表示画面４に表示されたところでシャッタボタン５を押すとシール排出口６から無線タグ８付きのシール７が排出されるので（Ｓ４）、台紙７−２を取り除いてシール本体７−１をチケット１の適宜の余白部に貼り付ける（Ｓ５）。無線タグ８に記録されたリンク情報と同一のリンク情報が附加された写真２の画像データがカメラ３のメモリカードに格納される。後日チケット１の無線タグ８をタグリードライタで読むと自動的に関連画像が表示画面に表示される。【選択図】図１
2006148610.tif 000002
【特許請求の範囲】
【請求項１】
画像を画像データとして電子的に撮影する撮像手段と、
該撮像手段により撮影された前記画像データを記録媒体に記録する記録手段と、
該記録手段により記録された前記画像データ中の特定の画像データと該特定の画像データに関係する実体物とを関係付けるための関係情報を有する情報媒体を、前記実体物に付帯可能な態様で出力する関係情報出力手段と、
を備えたことを特徴とするカメラ。
【請求項２】
前記記録手段は、前記関係情報出力手段により出力される前記情報媒体が有する前記関係情報を、該関係情報に関わる前記画像が記録されている記録媒体に記録する、ことを特徴とする請求項１記載のカメラ。
【請求項３】
前記記録手段は、前記関係情報出力手段により出力される前記記録媒体が有する前記関係情報を、該関係情報で特定される前記画像データと共に前記記録媒体に記録することを特徴とする請求項１又は２記載のカメラ。
【請求項４】
前記関係情報は、該関係情報により特定された前記画像データのファイル名を含んでいることを特徴とする請求項１記載のカメラ。
【請求項５】
前記関係情報は、前記情報媒体の可読な識別記号を含んでいることを特徴とする請求項１記載のカメラ。
【請求項６】
前記関係情報出力手段は、前記関係情報を記録した無線タグを有する状態で前記情報媒体を出力することを特徴とする請求項１記載のカメラ。
【請求項７】
前記情報媒体は、前記実体物に貼付可能なシールと該シールに附加された前記無線タグとから成ることを特徴とする請求項６記載のカメラ。
【請求項８】
前記情報媒体は、前記関係情報出力手段により前記実体物に塗布可能な液体と前記無線タグとの混合物から成ることを特徴とする請求項６記載のカメラ。
【請求項９】
前記液体は、前記関係情報出力手段により前記実体物に可読可能に印刷されるインクであることを特徴とする請求項８記載のカメラ。
【請求項１０】
前記情報媒体は、前記関連情報から変換されたバーコードが印刷された印刷媒体であることを特徴とする請求項１記載のカメラ。
【請求項１１】
前記情報媒体は、前記関係情報出力手段により前記実体物に直接印刷された前記関連情報から変換されたバーコードであることを特徴とする請求項１記載のカメラ。
【請求項１２】
前記情報媒体は、予め特定の情報が印刷された印刷媒体であることを特徴とする請求項１記載のカメラ。
【請求項１３】
前記情報媒体に関わる前記特定の画像データを画像表示する表示手段を更に備えたことを特徴とする請求項１記載のカメラ。
【請求項１４】
記録媒体から画像データを読み出す読出手段と、
前記記録媒体に記録された前記画像データの中の特定の画像データと該特定の画像データに関係する実体物とを関係付けさせるためのリンク情報が含まれる情報媒体を、前記実体物に付帯可能な態様で出力する関係情報出力手段と、
を備えたことを特徴とする画像機器。
【請求項１５】
前記出力される関係情報に対応する対応関係情報を前記記録媒体に記録する記録手段を備えることを特徴とする請求項１４記載の画像機器。
【請求項１６】
画像を画像データとして電子的に撮像する撮像手段と、
撮像された前記画像データと該画像データに関係する実体物とを関係付けるための関係情報を有する情報媒体を、前記実体物に付帯可能な態様で出力する関係情報出力手段と、
を備えたことを特徴とするカメラ。
【発明の詳細な説明】
【技術分野】
【０００１】
本発明は、撮影画像データと実体物とを関連付けさせるカメラ及び画像機器に関する。
【背景技術】
【０００２】
実体物と画像とを関連付けて管理することが望まれる場合がある。例えば、商品とその商品を撮影した画像データを一括して管理できれば便利である。
また、旅行などに行った場合には、遊んだ遊園地でのスナップ撮影や、見学したお寺などの風景を背景とした記念撮影をする場合が多い。特に小さな子供を伴った家族旅行の場合などでは、食事処や休憩所などでもスナップ写真を撮ることが珍しくない。
【０００３】
他方、そのようなときに入手した遊園地のチケットやお寺の説明しおりや拝観券などを記念として持ち帰ることが多い。中には、食事したときの箸袋や、休息した所のマッチなどを記念に持ち帰ることもある。
【０００４】
一般に、旅行中の撮影画像は、画像データとしてメモリカード等の記録媒体に一旦記録され、旅行後には、メモリカードのままか又はパソコン（パーソナルコンピュータ）のＨＤ（ハードディスク）等に、デジタル画像データの形で管理される。
【０００５】
他方、上記のように旅行先から持ち帰った遊園地のチケット、お寺の説明しおりや拝観券、食事処の箸袋、休憩所のマッチなどの実体物としての記念品は、きちんと整理して保管しておかないと、旅行から帰ってしばらくすると、たとえ記念品の記載などを見てその場所名は分かるとしても、その場所が記憶の中にあるどの場所であるかが判らなくなってしまうことが多い。
【０００６】
これでは困るので、通常は、特にこまめな人では、これらの記念品をスクラップブックに貼り付けたり、説明のラベルなどを取り付けた袋に入れたりして保管するようにする。したがって、一方では、撮影した写真は画像データの形でメモリカードやパソコンで管理され、他方では、記念品はスクラップブックや説明ラベル付きの袋で管理されるというように、２通りの全く別個の管理状態の下に置かれることになる。
【０００７】
ところで、旅行などから帰ってしばらくして、その旅行を振り返って思いを新たにしてみたい、その旅行の足跡がどうであったか調べたい、または旅行について他人に説明しようとしたときに、撮影した画像とそのときに入手した記念品とを一緒に見たい場合が多い。そのようなときは、パソコンの表示画面で旅行時の撮像画像を見ながら、スクラップブックや袋を開いて、そのときの記念品を取り出して眺めるということになる。
【０００８】
ところが、画像を眺めながら、その時に入手したチケットなどがあったことを思い出しても、スクラップブックや説明ラベル付きの袋の中のどの記念品が、いま眺めている画像に関係した記念品であるか直ぐには判らずに困る場合が多々発生する。
【０００９】
逆に、先ず記念品を取り出して眺め、そのときに撮影した写真（画像データ）がどのような情景のものであったかを知ろうとしても、上述したように画像データは記念品とは別々の形でしか保管・管理できないので、脇に置いた記念品を見ながら、他方では画像データをサムネイル表示やインターバル表示（ウインドウズ画面ではスライド表示という）させて、記憶を辿りながら、記念品と関係する画像を目で検索しなければならなかったから、かなり手間のかかる面倒な作業であった。
【００１０】
それであるからといって、記念品の入手日や場所あるいは関連する写真の画像データファイム名をラベルに書き出し、そのラベルを記念品に貼り付けたりするのは大変手間のかかることであり、誰でも容易に行うことのできる作業ではない。
【００１１】
他方、撮影画像の別の楽しみ方として、無線タグが貼り付けられたプリント画像を収納するアルバムと、無線タグに同期してそのプリント画像に対応する音声や日付等の情報をアルバムの専用ディスプレイまたは分離されたディスプレイに表示するシステムが提案されている（例えば、特許文献１参照。）
また、上記の無線タグは、プリント画像以外にも、一般的な「物」を管理する手段として最近開発が著しく、１例として、実体物の１つである書物に無線タグ（ＩＣチップ）を貼り付けて、書物の収納位置を簡単に検出できるようにして、大量に収納する書物の管理を容易にする図書館での管理方式の発明が提案されている（例えば、特許文献２参照。）
特開平１１−７９３２８東芝）。
【特許文献１】特開２００３−３４６０８６号公報
【特許文献２】特開平１１−０７９３２８号公報
【発明の開示】
【発明が解決しようとする課題】
【００１２】
しかしながら、上記のように無線タグを使用する管理方式は、あくまでも無線タグを貼り付けた実体物そのものを、番号によって直接管理するだけのものであって、画像データと実体物とを関係付けて管理するまでには至っていない。
【００１３】
本発明の課題は、上記従来の実情に鑑み、撮影した画像データと実体物とを明確に関連付けすることが出来る機能を有するカメラ及び画像機器を提供することである。
【課題を解決するための手段】
【００１４】
先ず、第１の発明のカメラは、画像を画像データとして電子的に撮影する撮像手段と、該撮像手段により撮影された上記画像データを記録媒体に記録する記録手段と、該記録手段により記録された上記画像データ中の特定の画像データと該特定の画像データに関係する実体物とを関係付けるための関係情報を有する情報媒体を、上記実体物に付帯可能な態様で出力する関係情報出力手段と、を備えて構成される。
【００１５】
上記記録手段は、例えば上記関係情報出力手段により出力される上記情報媒体が有する上記関係情報を、該関係情報に関わる上記画像が記録されている記録媒体に記録するように構成され、また、例えば上記関係情報出力手段により出力される上記記録媒体が有する上記関係情報を、該関係情報で特定される画像データと共に上記記録媒体に記録するように構成され、また、例えば該関係情報により特定された上記画像データのファイル名を含んで構成され、また、例えば上記情報媒体の可読な識別記号を含んで構成される。
【００１６】
また、上記関係情報出力手段は、上記関係情報を記録した無線タグを有する状態で上記情報媒体を出力するように構成される。この場合、上記情報媒体は、上記実体物に貼付可能なシールと該シールに附加された上記無線タグとから成るように構成され、また、例えば上記関係情報出力手段により上記実体物に塗布可能な液体と上記無線タグとの混合物から成るように構成される。上記液体は、例えば上記関係情報出力手段により上記実体物に可読可能に印刷されるインクであってもよい。
【００１７】
また、上記第１の発明のカメラにおいて、上記情報媒体は、上記関連情報から変換されたバーコードが印刷された印刷媒体で構成してもよく、また、例えば上記関係情報出力手段により上記実体物に直接印刷された上記関連情報から変換されたバーコードで構成してもよく、また、例えば予め特定の情報が印刷された印刷媒体で構成してもよい。
【００１８】
また、上記第１の発明のカメラは、例えば上記情報媒体に関わる上記特定の画像データを画像表示する表示手段を更に備えて構成される。
次に、第２の発明の画像機器は、記録媒体から画像データを読み出す読出手段と、上記記録媒体に記録された上記画像データの中の特定の画像データと該特定の画像データに関係する実体物とを関係付けさせるためのリンク情報が含まれる情報媒体を、上記実体物に付帯可能な態様で出力する関係情報出力手段と、を備えて構成される。
【００１９】
そして、例えば上記出力される関係情報に対応する対応関係情報を上記記録媒体に記録する記録手段を備えて構成される。
【発明の効果】
【００２０】
以上説明したように、本発明によれば、撮影した画像データと実体物とを明確に関連付けすることが出来る機能を有するカメラ及び画像機器を提供することが可能となる。
【発明を実施するための最良の形態】
【００２１】
以下、本発明の実施の形態を図面を参照しながら説明する。なお、以下の説明で、上記撮像手段は、例えば撮像部１８、撮像素子２７、レンズ２８等から成り、上記記録手段は、例えば画像処理部２１、メモリカード２３等から成り、上記実体物は、例えばチケット１等から成り、上記情報媒体は、例えばタグ８、シール９等から成り、上記関係情報は、例えばタグ８に書き込まれたリンク情報、バーコード１１、番号印刷１２等から成り、上記関係情報出力手段は、例えば関連情報出力部１５（１５ａ〜１５ｅ）等から成り、そして上記記録媒体は、例えばメモリカード２３等から成る。
【００２２】
以下、本発明において撮影画像データと関連付けられる実体物の一例として、チケットを取り上げて説明する。なお、以下の説明では、印字と印刷を同義に用いることにする。
【実施例１】
【００２３】
図１は、実施例１としての、本発明を適用したカメラによる風景、人物、閲覧物、観覧物、その他の撮影から、その撮影に関連して入手したチケットに無線タグ（又は接触タグ、以下同様）を貼付するまでの操作手順を説明する図である。同図において、先ず、手順Ｓ１において「ＡＢＣ  ＴＩＣＫＥＴ」というチケット１を入手する。このチケット１は、行楽地の遊園地、記念館などの入場料、あるいはお寺の拝観料などを支払った後で手元に残る半券などである。勿論、使い終わった後の割り箸の名入りの箸袋やサービスマッチの小箱などであってもよい。
【００２４】
次に、手順Ｓ２において、デジタルカメラで写真２を撮影する。この写真２は、遊園地であれば自分の子供が遊び興じている姿、記念館であれば撮影が許可されているものに限るが興味深く感じたもの、お寺であればこれも撮影が許可されているものに限るが屋内では陳列物、屋外では由緒のある池、庭などの庭園のしつらえを背景とした家族の写真、などが一般的に多い。
【００２５】
続いて、手順Ｓ３において、撮影した写真２をカメラ３の表示画面４でプレビューする。このプレビューは、撮影直後でもよく、また撮影が一段落した後でもよく、あるいは旅館やホテルに戻ってからでもよい。要は撮影した写真２と入手したチケット１との関連性への記憶が失われないうちであれば何時でもよい。
【００２６】
そして、手順Ｓ４において、上記のプレビューにより所望の画像データ（写真２）がカメラ３の表示画面４に表示されたならば、シャッタボタン５を押す。これにより、カメラ３のシール排出口６から、シール７が排出される。このシール７は、シール本体７−１と台紙（剥離紙）７−２とからなり、シール本体７−１には無線タグ８が予め貼着されている。
【００２７】
この後、手順Ｓ５において、写真の撮影者は、上記のシール７から台紙（剥離紙）７−２を剥ぎ取って取り除き、シール本体７−１をチケット１の適宜の余白部（図では左上角部）に貼り付ける。
【００２８】
図２は、実施例１において、無線タグ８が貼着されたシール７を排出するカメラ１の構成を示すブロック図である。同図に示すように、カメラ３は、カメラ本体１４と関連情報出力部１５（１５ａ）とから成る。
【００２９】
カメラ本体１４には、Ｃ−ＣＰＵ１６と、このＣ−ＣＰＵ１６にバス１７を介して接続された撮像部１８、音声処理部１９、本実施例の関連情報出力部１５ａを構成するタグライタ２０のコントローラ２１、画像処理部２１、画像表示部２２、及びメモリカード２３が備えられている。
【００３０】
更にカメラ本体１４には、Ｃ−ＣＰＵ１６に直接接続された本体操作部２４、音声処理部１９に接続された音声出力部２５、この音声出力部２５に接続されたスピーカ接続端子２６、撮像部１８に接続された撮像素子２７、及びこの撮像素子２７の撮像面前方に配置されたレンズ２８が備えられている。
【００３１】
Ｃ−ＣＰＵ１６は、本体操作部２４から入力される操作イベントに基づいて、不図示の電源部の接続／遮断、レンズ駆動部によるレンズ２８のズーム又は焦点の制御、撮像部１８を介しての撮像素子２７の駆動すなわち画像の撮影の制御、画像処理部２１で処理された撮像画像データのメモリカード２３への記録の制御、画像表示部２２を介しての表示装置の表示画面４（図１参照）への画像表示の制御、音声出力部２５及びスピーカ接続端子２６を介してスピーカを放音駆動するための音声処理部１９への制御、タグライタ２０のコントローラ２１への指示等を行う。
【００３２】
関連情報出力部１５ａは、上述したタグライタ２０の他に、連続シール２９と送り部３１とを備えている。タグライタ２０は、上述したコントローラ２１の他に、送受信部３２とアンテナ３３を備えている。
【００３３】
連続シール２９は、図１に示したタグ８をそれぞれ貼着された複数枚のシール７が連続して例えばロール状に巻かれた状態で、消耗品として関連情報出力部１５ａに着脱自在に装着されているものである。
【００３４】
タグライタ２０のコントローラ２１は、送受信部３２及びアンテナ３３を介して、タグ８と交信し、タグ８に、画像データとその画像データに関係する実体物とを関係付けるための関係情報としての詳しくは後述するリンク情報を書き込む。
【００３５】
送り部３１は、特には図示しないが、カッター装置、ローラ対、モータ、駆動部、シート位置検出センサ等から成るシール排出装置を備えており、上記のようにリンク情報を書き込まれたタグ８を有するシール７を、連続シール２９から切り離して、その切り離したシール７を図１に示したシール排出口６から、図２に示すように外部に排出する。
【００３６】
Ｃ−ＣＰＵ１６は、上記タグ８に書き込まれたリンク情報を、画像処理部２１を介してメモリカード２３に格納される上記の画像データの所定のデータ書込み領域に書き込む。これにより、撮影した写真（画像データ、以下同様）２とチケット１との関連付けが完了する。すなわち、タグ８を貼着されたシール７及びタグ８に書き込まれたリンク情報を介して、実体物としてのチケット１と、写真２とがリンクされる。
【００３７】
ここで、上記のタグ８について説明する。一般に、無線タグは、交信距離により分類され、密着型、近傍型（数ミリから数メートル）、遠隔型に分類される。本実施例において用いられるタグ８は、電磁結合型からなる密着型（ＩＳＯ  １０５３６）又は電磁誘導型から成る近傍型（ＩＳＯ  １５６９６）と呼ばれる分類に属し、利用周波数は例えば１３．５６ＭＨｚの規格がある。また、一度だけ情報が書き込める安価なワンタイム型が好適である。
【００３８】
また、これらのタグの通信方式は、基本的には同一の原理で動作する。すなわち、電源方式は、リーダライタからコイルアンテナを介しての電磁誘導による誘起電圧で電力を受けるパッシブ型であり、この型は、短距離で通信が可能であり、低コスト且つ小型化に適している。
【００３９】
本例のタグは電磁誘導型で構成されるが、この型のタグとリーダライタとによる交信距離は１０ｃｍ程度以内であり、本例においては、タグの小型化と低コスト化の観点から通信距離は同様に１０ｃｍに設定されるので、この通信にはパッシブ型で十分に対応が可能である。
【００４０】
したがって、本例では、マイクロ波型のような遠隔型は、タグに内蔵電源が必要となるためコスト高かつ大型となるので採用には制限が生じる。
このように、実施例１のカメラ３によれば、タグ付きシールにより、チケット、入場券の半券、拝観券、あるいはカタログ類等の実体物に付帯可能な状態で、その実体物の入手に関わる風景、人物、拝観物等を撮影した写真の画像データとを関連付けるリンク情報を出力するので、写真撮影者は、カメラからの出力（タグ付きシール）を実体物に付帯させる（貼着する）ことにより、後日そのリンク情報を読み取るだけで、実体物から画像データを検索する等が容易に出来るようになる。
【００４１】
尚、上記のリンク情報は、２桁又は３桁程度の連番でもよく、これであればタグを使用する場合は小型のタグを使用でき、タグを貼着する情報媒体としてのシールも小型化できるので、小さな実体物にも対応できるので利用範囲が拡大する。また、タグの情報は非接触で容易に検出できるので極めて便利であり、使い勝手がよい。
【００４２】
また、上記の連番は、タグ８つまりシート７が１枚使用される度に変わる連番ではなく実体物の入手場所が変わったとき又は実体物と写真との関連付けが終了したときに変更される連番である。
【実施例２】
【００４３】
図３は、実施例２としての、カメラによる風景、人物、閲覧物、観覧物、その他の撮影から、その撮影に関連して入手したチケットにバーコードシールを貼付するまでの操作手順を説明する図である。同図において、手順Ｓ２１〜Ｓ２３までは、図１の手順Ｓ１〜Ｓ３までと同一であるので図示は省略されている。
【００４４】
図３において図示が省略されている手順Ｓ２３のプレビューにおいて、所望の画像データ（写真２）がカメラ３の表示画面４に表示されたならば、手順Ｓ２４においてシャッタボタン５を押す。これにより、カメラ３のシール排出口６から、図１の場合とは異なるシール９が排出される。
【００４５】
このシール９も、シール本体９−１と台紙（剥離紙）９−２とからなる。ただし、本例の場合は、シール本体９−１にはバーコード１１が印刷されている。
この後、手順Ｓ２５において、写真の撮影者は、上記のシール９から台紙（剥離紙）９−２を剥ぎ取って取り除き、シール本体９−１をチケット１の適宜の余白部（図では左上角部）に貼り付ける。
【００４６】
図４は、実施例２において、バーコード１１を印刷されたシール９を排出するカメラ１の関連情報出力部１５（１５ｂ）の構成を示すブロック図である。なお、同図には図２に示したカメラ本体１４の図示は省略している。
【００４７】
図４に示すように、本例のカメラ３における関連情報出力部１５ｂは、プリンタ制御部３４、リンク情報／コード変換部３５、印字部３６、及びシール送り部３７からなり、消耗品としての連続シール３８を備えている。
【００４８】
連続シール３８は、図３に示した印刷前のシール９を連続して例えばロール状に巻かれた状態で、関連情報出力部１５ｂに着脱自在に装着されているものである。
プリンタ制御部３４は、図２に示したバス１７に接続されており、Ｃ−ＣＰＵ１６からの指示により、撮像部１８で撮像され、画像処理部２１で画像データ化され、メモリカード２３に格納される画像データに関係するチケットに貼付するシールに印刷するためのリンク情報をバーコードに変換するようリンク情報／コード変換部３５を制御し、そのリンク情報から変換されたバーコードを印字データに変換して印字部３６に送信し、その印字データによりシール９に対し図３に示したバーコード１１を印刷するよう制御する。
【００４９】
シール送り部３７は、これも特には図示しないが、カッター装置、ローラ対、モータ、駆動部、シート位置検出センサ等から成るシール排出装置を備えており、上記のようにバーコード１１を印字されたシール９を、連続シール３８から切り離して、その切り離したシール９を図２に示したシール排出口６から外部に排出する。
【００５０】
Ｃ−ＣＰＵ１６は、上記バーコード１１に変換されたリンク情報を、画像処理部２１を介してメモリカード２３に格納される上記画像データの所定のデータ書込み領域に書き込む。これにより、この場合も撮影した写真２とチケット１との関連付けが完了する。すなわち、シール９及びシール９に印字されたバーコード１１のリンク情報を介して、実体物としてのチケット１と、写真２とがリンクされる。
【００５１】
このように、実施例２のカメラ３によれば、バーコードシールにより、チケット、入場券の半券、拝観券、あるいはカタログ類等の実体物に付帯可能な状態で、その実体物の入手に関わる風景、人物、拝観物等を撮影した写真とを関連付けるリンク情報を出力するので、写真撮影者はカメラからの出力（バーコードシール）を実体物に付帯させる（貼着する）ことにより、後日そのリンク情報を読み取るだけで、実体物から画像データを検索する等が容易に出来るようになる。
【００５２】
また、このバーコードシールのように情報量の多い情報媒体を使用するときは、画像データファイル名もリンク情報に含むようにしてもよい。そうすれば、実体物に関係する特定画像データのファイル名が分かるので、実体物からの対応画像データの検索がより容易に出来るようになる。また、撮影日時もリンク情報に含むようにすると、永久的な管理が可能となる。
【実施例３】
【００５３】
図５は、実施例３としての、カメラによる風景、人物、閲覧物、観覧物、その他の撮影から、その撮影に関連して入手したチケットにスタンプ（又は印刷）を施すまでの操作手順を説明する図である。同図において、手順Ｓ３１〜Ｓ３３までは、図１の手順Ｓ１〜Ｓ３までと同一であるので図示は省略されている。
【００５４】
図５において図示が省略されている手順Ｓ３３のプレビューにおいて、所望の画像データ（写真２）がカメラ３の表示画面４に表示されたならば、先ず、手順Ｓ３４において、チケット１の適宜の余白部（図では左上角部）をカメラ３の下面左端部にある印字部（図では陰になって見えない）の下方に配置し、シャッタボタン５を押す。これにより、手順Ｓ３５に示すように、カメラ３の印字部によって、チケット１に対して印字が施される。
【００５５】
図６は、実施例３において、印字部によりリンク情報を直接チケット１に印字するカメラ１の関連情報出力部１５（１５ｃ）の構成を示すブロック図である。なお、同図も図４に示したカメラ本体１４の図示は省略している。
【００５６】
図６に示すように、本例のカメラ３における関連情報出力部１５ｃは、プリンタ制御部３９、及び印字部４１からなる。印字部４１は、特には図示しないが例えばインクジェット型プリンタヘッドとインクタンクを備えている。なお、関連情報出力部１５ｃをより小型に構成する場合には、サーマル型印字ヘッドと転写型（又は昇華型）インクリボンを備えるようにしてもよい。
【００５７】
プリンタ制御部３９は、図２に示したバス１７に接続されており、Ｃ−ＣＰＵ１６からの指示により、撮像部１８で撮像され、画像処理部２１で画像データ化され、メモリカード２３に格納される画像データに関係するチケットに直接印字するためのリンク情報を印字データに変換して、その印字データを印字部４１により直接チケット１に印字するよう制御する。
【００５８】
Ｃ−ＣＰＵ１６は、上記印字データに変換されたリンク情報を、画像処理部２１を介してメモリカード２３に格納される上記画像データの所定のデータ書込み領域に書き込む。
これにより、この場合も撮影した写真２とチケット１との関連付けが完了する。すなわち、リンク情報を印刷された実体物としてのチケット１と写真２とが、リンク情報を介してリンクされる。
【００５９】
このように、実施例３のカメラ３によれば、印字により、チケット、入場券の半券、拝観券、あるいはカタログ類等の実体物に付帯可能な状態で、その実体物の入手に関わる風景、人物、拝観物等を撮影した写真の画像データとを関連付けるリンク情報を出力するので、写真撮影者はカメラからの出力（印字インク）を実体物に付帯させる（印字する）ことにより、番号印刷１２の番号そのものがリンク情報となり、後日そのリンク情報を読み取るだけで、実体物から画像データを検索する等が容易に出来るようになる。
【００６０】
また、上記の番号印刷１２のリンク情報を２桁程度の連番とすると、リンク情報の出力に用いる印字装置を簡単な構成の印字装置とすることができ、カメラ全体の構成を小型化することができる。
【００６１】
図７は、上述した実施例１〜３のいずれかのカメラ３によって出力されたリンク情報を付帯されたチケットの例を数例示す図である。同図において、上段の３例は、目視による可読性の表示があるリンク情報を示しており、左から右へ、予め番号（Ｎｏ．１）が連番で印刷されているシールに無線タグが取り付けられている例、バーコードと番号（Ｎｏ．１）の両方を印刷した例、及び番号（Ｎｏ．１）のみを印字した例をそれぞれ示している。
【００６２】
また、中段の２例は、目視による可読性の表示が無いリンク情報を示しており、左から右へ、無線タグのみのシールを貼着した例、及びバーコードのみのシールを貼着した例をそれぞれ示している。
【００６３】
下段の１例は、１枚のチケットに複数（同図の例では３個）のタグ付きシールが貼着されている例を示している。これは、このチケットに関わる写真が３枚撮影されていることを示している。
【実施例４】
【００６４】
図８は、実施例４において、予めリンク情報を印字されているラベルを順次出力するカメラ１の関連情報出力部１５（１５ｄ）の構成を示すブロック図である。なお、同図も図４に示したカメラ本体１４の図示は省略している。図８に示すように、本例の関連情報出力部１５ｄは、送り制御部４２、及びラベル送り部４３を備え、連続ラベル４４を収納している。
【００６５】
連続ラベル４４は、複数枚のラベル４５が連続して例えばロール状に巻かれた状態で、関連情報出力部１５ｄに着脱自在に装着されており、各ラベル４５には予め例えば番号が数字で例えばＮｏ．１、２、・・・のように昇順に印刷されている。
【００６６】
本例におけるラベル送り部４３も、特には図示しないが、カッター装置、ローラ対、モータ、駆動部、シート位置検出センサ等から成るシール排出装置を備えている。送り制御部４２は、図４に示したバス１７に接続されており、Ｃ−ＣＰＵ１６からの指示により、ラベル送り部４３を制御して、ラベル４５を連続ラベル４４から切り離して、カメラ本体外部に排出する。
【００６７】
Ｃ−ＣＰＵ１６は、上記ラベル４５が一枚ずつ外部に排出される都度、そのラベル４５に予め記載されている番号例えばＮｏ．１をリンク情報として、ラベル４５が出力されることになった関連写真の画像データの所定のデータ書込み領域に書き込んで、その画像データをメモリカード２３に格納する。
【００６８】
これにより、ラベル４５を貼着されたチケット１と画像データ２とが、ラベル４５のリンク情報を介してリンクされる。
このように、リンク情報として予め連番や記号を印刷したシールを情報媒体として出力することにより、印刷装置が不要となるので、カメラのコストが低減する。
【実施例５】
【００６９】
図９は、実施例５におけるカメラ１の関連情報出力部１５（１５ｅ）の構成を示すブロック図である。なお、同図も図４に示したカメラ本体１４の図示は省略している。図９に示すように、本例の関連情報出力部１５ｅは、図４に示したバス１７に接続されたリンク情報コード変換部４６とプリンタ制御部４７を備えている。
【００７０】
リンク情報コード変換部４６には実施例１のタグライタ２０と同様な機能を有するタグライタ４８が接続され、プリンタ制御部４７には印字部４９が接続されている。そして、この印字部４９にはインク吐出部５１が連結されており、このインク吐出部５１にはインクタンク５２から、チップ状無線タグ５３が混入・分散されているインク５４が供給される。
【００７１】
インク吐出部５１に供給されたインク５４中のチップ状無線タグ５３に、タグライタ４８から通信が開始され、チップ状無線タグ５３にリンク情報が書き込まれたタイミングで、印字部４９はインク５４をインク吐出部５１からチケット１に向けて吐出する。
【００７２】
図１０は、上記の実施例５において、インク吐出部５１から単にインク５４を吐出するだけでなく、文字、記号、その他の見た目に分かるリンク情報を印字する例を示す図である。同図に示すように、チケット１の左上部の余白部１ａに、チップ状無線タグ５３を含んだインク５４による英文字「Ａ」が印字されている。
【００７３】
これにより、撮影者は、このチケット１を見たとき、このチケット１に関連する写真の画像データが「Ａ」という符号で管理されている、又はその旅行で最初に立ち寄った所のチケットであることを容易に知ることができる。
【００７４】
このように、タグと印刷情報の両方を有する形態で直接実体物に印刷を行うので、検出センサなしで目視で確認もでき、視覚的に情報媒体相互の区別ができて便利である。
また、実体物への直接印刷であるので、シールの剥離紙を剥がす手間と、シールを実体物に貼着する手間が省けるので極めて便利である。
【００７５】
本発明では、上述したように実体物に付帯されるリンク情報が、Ｃ−ＣＰＵ１６により、実体物と関連する画像データの所定領域に書き込まれることにより、実体物と画像データとのリンク付けが完成するが、ここで、このリンク情報が書き込まれる画像データファイルのデータ構成について説明する。
【００７６】
図１１は、メモリカード２３に記録される画像データファイルのデータ構成を示す図である。同図に示す例では、ルートディレクトリＤＣＩＭに作成されているフォルダ００１ＴＡＭＡＢに、３種類のファイルが格納されている。
【００７７】
ファイル領域の先頭には画像データファイルが格納される。同図の例では、画像データファイルＰ７０１０００１．ＪＰＧ、Ｐ７０１０００２．ＪＰＧ、Ｐ７０１０００３．ＪＰＧ、・・・が格納されている。
【００７８】
ファイル領域の中間には、拡張子がＷＡＶで示されるアフレコの音声データが格納される。同図の例では、音声データファイルＰ７０１０００１．ＷＡＶ、Ｐ７０１０００５．ＷＡＶ、・・・が格納されている。音声データファイルＰ７０１０００１．ＷＡＶは画像データファイルＰ７０１０００１．ＪＰＧに対応し、音声データファイルＰ７０１０００５．ＷＡＶは画像データファイルＰ７０１０００５．ＪＰＧに対応している。
【００７９】
また、ファイル領域の後方には、画像に関わるコメントや覚え書きとしてのテキストデータファイルが格納される。同図の例ではテキストデータファイルＰ７０１０００１．ＴＸＴ、・・・が格納されている。テキストデータファイルＰ７０１０００１．ＴＸＴは画像データファイルＰ７０１０００１．ＪＰＧに対応している。
【００８０】
すなわち、音声データファイル、音声データファイル、テキストデータファイルは、拡張子を除いたファイル名が同一のもの同士がそれぞれ対応している。
また、上記の画像データファイルには、メーカーノートと呼ばれる付帯データ領域５５が設けられている。この付帯データ領域５５は、カメラメーカーが任意に利用できる領域であり、本例のカメラ３においては、同図に示すように、リンクフラグ、リンク情報、撮影日時、撮影場所、撮影者、ジャンルの各データ領域が設けられている。
【００８１】
ここで、リンク情報データ領域には、本例では「１」、「２」、「３」、・・・のように連番で構成される番号データが格納される。この番号データは、例えば図１及び図２に示したシール７のタグ８に書き込まれたリンク情報、図３及び図４に示したシール９に印刷されたバーコード１１で表されるリンク情報、又は図５及び図６に示した番号印刷１２で表されるリンク情報である。
【００８２】
これによって、例えばリンク情報「２」を書き込まれたタグ８の付いたシール７を貼着されたチケット１、リンク情報「２」を表すバーコード１１が印刷されたシール９を貼着されたチケット１、又はリンク情報「２」の番号印刷１２を印刷されたチケット１と、付帯データ領域５５のリンク情報データ領域にリンク情報「２」を格納されている画像データファイルＰ７０１０００２．ＪＰＧが関連付けがなされるようになっている。
【００８３】
また、リンク情報データ領域に「０」が格納されている例えば画像データファイルＰ７０１０００３．ＪＰＧは、この写真と関連付けられる実体物が無いことを示している。
また、付帯データ領域５５のリンクフラグデータ領域には、リンク情報データ領域にリンク情報が格納されている全ての画像データファイルに対して「１」が格納される。これにより実体物に関連のある画像データであるか否かの確認が容易にできるようになる。
【００８４】
ここまでは、実体物を代表的にチケットに置き換えて説明してきたが、以下に、種々の実体物と画像データとの関係を更に説明する。なお、説明の便宜上、実体物に付帯されるリンク情報は全てシール７のタグ８に拠るものとする
図１２は、種々の実体物と画像データとの関係を更に説明する図表である。同図には実体物と画像データとの対応関係を、例として５種類の関係態様で示している。１番目の関係態様は「１画像、１タグ、１実体物」の例である。
【００８５】
この場合は、例えば画像データ側では、メモリカード上の画像ファイル名とリンク情報の欄５６に示すように、子欄５６−１に示す１画像の「画像データファイルＰ７０１０００１．ＪＰＧ」が、子欄５６−２に示すリンク情報「ＮＯ．１」と対応し、実体物側では、タグとタグに記録されるリンク情報の欄５７に示すように、子欄５７−２に示すリンク情報「ＮＯ．１」を有する子欄５７−１に示す１個のタグに、子欄５７−３に示す１枚のチケットが対応する。これは、１枚の写真と１個の実体物がリンクしている場合の例である。
【００８６】
２番目の関係態様は「１画像、複数タグ、複数実体物」の例である。この場合は、例えば画像データ側では、欄５６に示すように、子欄５６−１に示す１画像の「画像データファイルＰ７０１０００２．ＪＰＧ」が、子欄５６−２に示すリンク情報「ＮＯ．２」と対応し、実体物側では、欄５７に示すように、子欄５７−２に示すリンク情報「ＮＯ．２」をそれぞれ有する子欄５７−１に示す３個のタグ１、２及び３に、子欄５７−３に示す１袋の割り箸入れ、１枚のコースター、１枚のレシートの３種類の実体物がそれぞれ対応する。このように、１枚の写真と３個の実体物とを関連付けることもできる。すなわち、１枚の写真に対応する実体物が複数あっても対処できる。
【００８７】
尚、タグ番号（１、２、３、・・・）は、タグの発行通し番号であってリンク情報とは無関係である。
３番目の関係態様は「複数画像、１タグ、１実体物」の例である。この場合は、例えば画像データ側では、欄５６に示すように、子欄５６−１に示す２つの画像「画像データファイルＰ７０１０００４．ＪＰＧ」と「画像データファイルＰ７０１０００５．ＪＰＧ」が、子欄５６−２に示すリンク情報「ＮＯ．３」とそれぞれ対応し、実体物側では、欄５７に示すように、子欄５７−２に示すリンク情報「ＮＯ．３」を有する子欄５７−１に示す１個のタグに子欄５７−３に示す１枚のパンフレットが対応する。
【００８８】
このように、複数枚（図の例では２枚）の写真と１個の実体物とを関連付けることもできる。
また、この場合は複数の画像データに対応する１個のタグつまり１枚のシート７がパンフレットに貼り付けられた場合を示している。したがって、タグ枚数が節約できるだけでなく、タグを何枚も貼れないような小さな実体物に対しても対処することができる。
【００８９】
４番目の関係態様は「複数画像、複数タグ、１実体物」の例である。この場合は、例えば画像データ側では、欄５６に示すように、子欄５６−１に示す２つの画像「画像データファイルＰ７０１０００６．ＪＰＧ」及び「画像データファイルＰ７０１０００７．ＪＰＧ」が、子欄５６−２に示すリンク情報「ＮＯ．４」及び「ＮＯ．５」とそれぞれ対応する。そして、実体物側では、欄５７に示すように、子欄５７−２に示すリンク情報「ＮＯ．４」及び「ＮＯ．５」をそれぞれ有する子欄５７−１に示す２個のタグの両方に、子欄５７−３に示す１枚のチケットが対応する。
【００９０】
これは、画像データファイルＰ７０１０００７．ＪＰＧで示される写真を撮影して、タグ付きのシールをチケットに貼り付けて、チケットと画像データとのリンク付けを一旦完了した後で、そのチケットに関わる他の写真を撮影した場合である。このように、後から実体物に関連する写真を追加したいような場合にも対処することができる。
【００９１】
５番目の関係態様は「複数画像、複数タグ、複数実体物」の例である。この場合は、例えば画像データ側では、欄５６に示すように、子欄５６−１に示す２つの画像「画像データファイルＰ７０１０００８．ＪＰＧ」及び「画像データファイルＰ７０１０００９．ＪＰＧ」が、子欄５６−２に示すリンク情報「ＮＯ．６」とそれぞれ対応し、実体物側では、欄５７に示すように、子欄５７−２に示すリンク情報「ＮＯ．６」をそれぞれ有する子欄５７−１に示す２個のタグ１及び２のうち、タグ１には、子欄５７−３に示す１枚のチケットが対応し、タグ２には子欄５７−３に示す１枚のパンフレットが対応する。
【００９２】
これは、上記の２番目と３番目の組み合わせであり、チケットとパンフレットを同一の場所で入手し、その場所に関わる写真を２枚撮影した場合である。このように、複数画像に対応するタグを複数出力することもできる。
【００９３】
図１３は、上記のようにタグ８の付いたシール７（又はバーコード１１が印刷されたシール９、又は予め連番の番号が印刷されているラベル、以下同様）を発行するＣ−ＣＰＵ１６によって行われる処理のメインフローチャートである。
【００９４】
同図において、先ず撮影モードがスタートすると、撮影が開始される（Ｓ０１）。
そして、撮影が終了すると、アフレコの指示が有るか否かが判別される（Ｓ０２）。この処理は、撮影者が例えばカメラのメニューキーでメニュー選択画面を表示させ、十字キーでメニューを選択し、入力決定キーで選択メニューを決定することで判別される。
【００９５】
この判別で、アフレコの指示がなされていれば（Ｓ０２がＹ）、アフレコの記録を行ってから（Ｓ０３）、続いて、テキスト入力の指示が有るか否かが判別される（Ｓ０４）。また、上記アフレコの指示が有るか否かの判別で、アフレコの指示がなければ（Ｓ０２がＮ）、直ちに、このＳ０４の処理に移行する。
【００９６】
この処理も、撮影者によるメニューキーと十字キーと入力決定キーでの選択メニュー決定に基づいて判別を行う処理である。
この判別で、テキストの指示がなされていれば（Ｓ０４がＹ）、テキストの記録を行ってから（Ｓ０５）、続いて、リンクの指示が有るか否かが判別される（Ｓ０６）。また、上記テキストの指示が有るか否かの判別で、テキストの指示がなければ（Ｓ０４がＮ）、直ちに、このＳ０６の処理に移行する。
【００９７】
この判別で、リンクの指示が有れば（Ｓ０６がＹ）、先ず、詳しくは後述する情報媒体設定の処理を行い（Ｓ０７）、続いて、これも詳しくは後述する情報媒体出力の処理を行う（Ｓ０８）。
【００９８】
この後、リンク終了の指示が有るか否かが判別される（Ｓ０９）。そして、リンク終了指示が出ていなければ（Ｓ０９がＮ）、処理Ｓ０２に戻って処理Ｓ０２〜Ｓ０９を繰り返す。
【００９９】
また、リンク終了の指示が有れば（Ｓ０９がＹ）、直ちに、この撮影に関わる処理を終了する。また、上記処理Ｓ０６の判別で、リンクの指示が無いときも（Ｓ０６がＮ）、直ちに処理を終了する。
【０１００】
このように、本発明のカメラ３では、写真の撮影が行われるごとに、アフレコの記録入力の有無とテキストの記録入力の有無がそれぞれ選択されるとともに、その後に、リンク指示が選択される。撮影した写真に関連する実体物が無いときはリンクを指示する必要はないが、撮影した写真に関連する実体物が有るときは、実体物の数だけ情報媒体設定の処理と、情報媒体出力の処理を行って、撮影した写真と実体物とを関連付けることが容易にできるようになっている。
【０１０１】
図１４は、上記の処理Ｓ０７における情報媒体設定処理を更に詳しく説明するサブフローチャートである。この情報媒体設定処理は、実施例１の手順Ｓ３および手順Ｓ４の前半の詳細処理に対応するものである。同図において、先ず、Ｃ−ＣＰＵ１６は、リンクＮＯ（リンク番号）のリセット指示が有るが否かを判別する（Ｓ０７１）。
【０１０２】
通常、撮影者は、旅行先において最初の写真を撮ったときにリンク番号のリセットを指示する。そのように、リンクＮＯのリセット指示が有れば（Ｓ０７１がＹ）、Ｃ−ＣＰＵ１６は、リンクＮＯのリセットを行う（Ｓ０７２）。これにより、リンク情報としてのリンク番号が「Ｎｏ．１」から連番で出力されるようになる。
【０１０３】
また、撮影者は、旅行先において最初の写真を撮った後、何枚も写真を撮っているときは、リンク番号のリセットは指示しない。そのように、リンクＮＯのリセット指示が無いときは（Ｓ０７１がＮ）、Ｃ−ＣＰＵ１６は、直ちにリンク画像の指示を参照する（Ｓ０７３）。
【０１０４】
この処理は、撮影者が十字キーなどにより撮影画像を順次選択する処理を参照するものであり、Ｃ−ＣＰＵ１６は、十字キーなどによる撮影者の選択指示に基づいて、順次指示された画像を、リンク画像（実体物にリンクさせるべき画像）として表示する（Ｓ０７４）。
【０１０５】
続いて、同一のリンク番号で排出されるシールの数である出力媒体数を指定する。出力媒体数として「１」が指定されているか否かを判別し（Ｓ０７５）、撮影者が「２」以上の数値を入力しているときは出力媒体数の指定が「１」ではないので（Ｓ０７５がＮ）、この場合は撮影者からの入力による出力媒体数の指示を受け取り（Ｓ０７６）、続いて、リンクＯＫのボタン（本例では図１、図３及び図５に示したようにシャッタボタンが兼用される）が押されているか否かを判別する（Ｓ０７７）。
【０１０６】
また、上記処理Ｓ０７５の判別で、撮影者が何も数値を入力していないときは、出力媒体数の指定は、初期設定の「１」のままであるので、「１」が設定されていると判断し（Ｓ０７５がＹ）、直ちに、処理Ｓ０７７の判別に移行する。そして、リンクＯＫのボタンが押されていないときは（Ｓ０７７がＮ）、更にリンク画像の選択表示を行うべく処理Ｓ０７３に戻って、処理Ｓ０７３〜Ｓ０７７を繰り返す。他方、リンクＯＫのボタンが押されていれば（Ｓ０７７がＹ）、直ちに、メインフローチャートの処理に復帰する。
【０１０７】
図１５は、メインフローチャートの処理Ｓ０８における情報媒体出力処理を更に詳しく説明するサブフローチャートである。この情報媒体出力処理は、実施例１の手順Ｓ４の後半の詳細処理に対応するものである。同図において、先ず、Ｃ−ＣＰＵ１６は、リンクＮＯ（連番出力される番号）と、そのリンクＮＯにリンクさせるべきリンク画像のデータファイル名（例えば、Ｐ７０１０００１．ＪＰＧ）を通信用のデータに変換する（Ｓ０８１）。
【０１０８】
そして、その通信データを送信する（Ｓ０８２）。この処理では、図２の場合であればタグライタ２０のコントローラ２１に送信され、図４の場合であればプリンタ制御部３４に送信される。
【０１０９】
続いて、Ｃ−ＣＰＵ１６は、受信確認を行う（Ｓ０８３）。この処理は、図２の場合であればタグライタ２０の送受信部３２により、タグ８からの書き込みデータ（リンクＮＯ）の返信を受信して確認する処理であり、図４の場合であればプリンタ制御部３４から書き込み完了の通知を受信する処理である。
【０１１０】
この受信の確認に基づいて、次にＣ−ＣＰＵ１６は、シール７又は９の排出を行う（Ｓ０８４）。この処理では、図２の場合であれば送り部３１、図４の場合であればシール送り部３７が駆動制御される。そして、Ｓ０７５、Ｓ０７６で指定された出力媒体数のシールが送出される。
【０１１１】
続いて、Ｃ−ＣＰＵ１６は、メモリカード２３の当該画像ファイルに、リンクＮＯを紀録する（Ｓ０８５）。これにより、図１１に示したように、メーカーノートと呼ばれる付帯データ領域５５のリンク情報データ領域に、リンクＮＯが格納される。また、あわせて当該画像ファイルのリンクフラグを「０」から「１」にする。
【０１１２】
これにより、シール７のタグ８に記録されているリンク情報、又はシール９のバーコード１１に記録されているリンク情報と、このリンク情報に一致するリンク情報を有する画像データファイルとが関連付けられて、そのシール７又は９が貼着される実体物と、そのとき撮影された写真の画像データとのリンクが完了する。ここで、Ｃ−ＣＰＵ１６は、メインフローチャートの処理に復帰する。
【０１１３】
上記の実施例１〜５では、撮影して画像がメモリに記録された後にシールの発行処理がされていたが、撮影前に予め指示をしておいて、撮影された画像データの記録と同時に関連情報がメモリカードに記録されるようにしてもよい。
【０１１４】
また、実施例１〜５までは、本発明をカメラに適用した例で説明してきたが、これに限らず、図２のブロック図から撮影部や音声処理部を除いたような画像機器にも適用できる。この場合、画像機器は、メモリカードから画像を読み出す読出手段、メモリカードの画像ファイルに関係情報を記録する記録手段および実施例１〜５で説明したような関連情報出力部（１５ａ〜１５ｅ）を有する。
【実施例６】
【０１１５】
続いて、上記のようにリンク情報を有する実体物により、これと関連する画像データを閲覧する方法について説明する。
図１６は、実体物に基づいて行われる具体的な画像データの表示態様を模式的に示す図である。同図は、アルバム一体型の関連画像表示装置（以下、ビュワーという）５８を示している。
【０１１６】
ビュワー５８には、見開き左側５８−１にアルバム５９が一体型で取り付けられ、見開き右側５８−２はビュワー本体であり、このビュワー本体には略一面を占めて液晶表示装置６１が配置され、左下に小さくスピーカ６２が配置されている。
【０１１７】
ビュワー５８には、不図示のコネクタを介して、しおり型センサ６３が接続ケーブル６４により接続されている。本図では有線タイプのしおり型センサ６３を示しているが、接続ケーブルのない無線タイプも可能である。
【０１１８】
アルバム５９の各シート（ページ）６５ｉ（ｉ＝１、２、・・・）に貼り付けられているチケット１やカタログ６６等の実体物に貼着されている情報媒体としてのシール７（又は９）のリンク情報を、しおり型センサ６３で読み取り、アルバム５９の何枚目のシート（何ページ）に、どのような実体物、つまりリンク情報が貼り付けられているかをビュワー５８に登録する。
【０１１９】
この登録が完了した後、アルバム５９の任意のページを開くと、そのシート６５ｉに貼り付けられているチケット１やカタログ６５等の実体物が有する上記登録済みのリンク情報が、シート番号ｉをキーとして検索され、そして検出されたリンク情報にリンクする画像データファイルが読み出され、その画像が液晶表示装置６１に表示される。
【０１２０】
実体物に関連する画像データファイルが複数あれば、それらの画像、例えば画像６７、６８等が同時に表示される。一つの実体物に関連する画像データファイルが更に多数ある場合には、液晶表示装置６１の大きさや使用者の指示に応じて、全ての画像を縮小して表示する又はサムネイル表示する又は通常の大きさで間歇的に表示（スライド表示）するようにする。
【０１２１】
尚、液晶表示装置６１の表示領域が表示画像に対して十分に広ければ、同一シート６５ｉ上の他の異なる実体部に関連する画像６９等を表示するようにしてもよい。
また、テキストが登録されていれば（例えば図１１の画像データファイルＰ７０１０００１．ＪＰＧに対するテキストデータファイルＰ７０１０００１．ＴＸＴ）そのテキスト７１が表示画像６７の近傍に表示される。また、アフレコが登録されていれば（例えば図１１の画像データファイルＰ７０１０００５．ＪＰＧに対する音声データファイルＰ７０１０００５．ＷＡＶ）そのアフレコがスピーカ６２から放音される。
【０１２２】
図１７は、上記のしおり型センサ６３の構成と使用方法を簡単に示す斜視図である。しおり型センサ６３は、薄型長方形の形状をしており、アルバムの「しおり」としても使用できるものである。同図に示すように、しおり型センサ６３の接続ケーブル６４が接続されている反対側の長手方向端部には、レンズ７２と特には図示しないがＣＣＤ（Charge Coupled Device ）からなる光学撮像装置が配設されている。
【０１２３】
このしおり型センサ６３のレンズ７２の面を、例えばチケット１のシール９の貼着部に向けて、シール９に印刷されているバーコード１１を読み取って、そのリンク情報を取得することができる。勿論、このしおり型センサ６３を、光学的撮像装置ではなくループアンテナや受信部を有して無線タグの情報を検出するタグリーダで構成してもよい。
【０１２４】
図１８は、指輪型センサとその使用方法を説明する図である。同図に示すように、指輪型センサ７３は、タグリーダからなり、例えば人差し指７４の先に嵌めて使用される。すなわち、指輪型センサ７３を嵌めた人差し指７４の先を、チケット１のシール７の貼着部に近接させるだけで、シール７に取り付けられているタグ８のリンク情報を読み取って、その取得したリンク情報を、ビュワー５８の制御部に送信することができる。勿論、指輪型センサ７３を、タグリーダではなくレンズ、ＣＣＤを有する光学的撮像装置で構成してもよい。
【０１２５】
図１９は、上に図１８のＡ矢視断面図を示し、そのＢ−Ｂ´断面矢視図を下に示している。図１９に示すように、指輪型センサ７３は、大径小径の二重環状のハウジング７５の内部７６に、フレキシブル基板７７を収納され、フレキシブル基板７７には、チップ状電子部品からなる各種のデバイス７８及び電源電池７９が実装され、その一方の端部には、指先の腹に対応する部分に配置されたループ状のアンテナ８１が接続されている。
【０１２６】
この指輪型センサ７３は、電磁誘導型のセンサであり、アンテナ８１を介してチケット１などに取り付けられたタグ８と通信して、タグ８に記録されているリンク情報（図１２の子欄５７−２参照）を読み出し、そのリンク情報をビュワー５８に転送する。
【０１２７】
図２０は、上述したアルバム一体型のビュワー５８各部の構成を示すブロック図である。同図に示すように、ビュワー５８は、アルバム５９と一体型であり、アルバム５９側の近接センサ読取部８２とビュワー５８側のＢ−ＣＰＵ８３とが配線によって接続されている。
【０１２８】
Ｂ−ＣＰＵ８３には、バス８４を介して受信部８５、音声処理部８６、画像表示部８７、メモリカード８８、画像処理部８９、及びメモリ９１が接続されている。更に、Ｂ−ＣＰＵ８３には開閉スイッチ９０を備えた本体操作部９２、及び電源部９３が直接接続され、また音声処理部８６には音声出力部９４が接続されている。この音声出力部９４は図１６に示したスピーカ６２を備えている。また、画像表示部８７は図１６に示した液晶表示装置６１を備えている。
【０１２９】
上記のメモリカード８８は、カメラ３のメモリカード２３をそのまま装着したものでもよく、あるいはパーソナルコンピュータで画像データファイルを複写したメモリカードであってもよい。
【０１３０】
他方、アルバム５９の各シート６５ｉの見開き下部の綴じ際には、近接センサ読取部８２で読み取り可能な位置に、アルバム５９が閉じられたときには向かい合わせになって当接し、アルバム５９が開かれたときには水平に並んで離れるように一対になって取り付けられた近接センサ９５が配設されている。この開かれた状態にある近接センサ９５の番号を検出することにより、どの番号のシートが現在開かれているかが判明するようになっている。
【０１３１】
図２１は、前述したしおり型センサ６３（無線タイプ）の回路構成を示すブロック図である。尚、同図には、ビュワー５８との通信手段として接続ケーブル６４に代えてアンテナ９６を示している。図２１に示すように、しおり型センサ６３は、例えば図１６に示したシート９のバーコード１１からレンズ７２に入射する映像光を撮像部（ＣＣＤ）９７で撮像し、この撮像信号を読み取り部９８でバーコードとして認識すると共にバーコードで表されているリンク情報を解析し、この解析されたリンク情報を送信コード変換部９９が送信コードに変換し、この変換された送信コードを送信部１０１がアンテナ９６を介してビュワー５８に送信する。
【０１３２】
このように、センサで読み取る対象情報媒体が、バーコード１１が印刷されたシール９又は連番が予め印刷されたラベル４５や連番が直接印刷されたチケット１の場合には、リンク情報の検出方式は光学方式になる。また、この場合、ワイヤレスでもワイヤードでもよい。
【０１３３】
図２２は、前述した指輪型センサ７３の回路構成を示すブロック図である。同図に示すように、指輪型センサ７３は、図１９に示したタグ８からアンテナ８１を介して入力するリンク情報を示す信号を受信部１０２で受信し、この信号を増幅部１０３で増幅し、この増幅信号を読み取り部１０４で解析してリンク情報を読み取り、この読み取られたリンク情報を送信コード変換部１０５が送信コードに変換し、この変換された送信コードを送信部１０６がアンテナ８１を介してビュワー５８に送信する。
【０１３４】
図２３は、上記のアルバムと一体型のビュワー５８における処理を示すメインフローチャートである。
先ず、処理が開始されると、図２０に示したＢ−ＣＰＵ８３は、ビュワー５８が開かれたか否かを判別し（Ｓ１０１）、開かれるまで待機する（Ｓ１０１がＮ）。この処理では、図１６に示した開閉スイッチ９０がビュワー５８の開閉に応じてオン／オフするので、ビュワー５８が閉じているときのオフ信号から開いたときのオン信号に変化したことを本体操作部９２を介して受信するまでＢ−ＣＰＵ８３は待機する。
【０１３５】
そして、ビュワー５８が開かれたときは（Ｓ１０１がＹ）、電源部９３の電源をオンにする（Ｓ１０２）。
続いて、Ｂ−ＣＰＵ８３は、登録モードであるか否かを判別する（Ｓ１０３）。この処理では、本体操作部９２を介してユーザから入力操作される操作キーが登録モードキーであるか表示モードキーであるかを判別する。登録モードとは、アルバム５９の各シートに貼付されたチケット類のリンク情報をシート番号ｉに対応させてメモリ９に登録させるモードをいう。そして、表示モードとは、登録された情報に基づいて、見開きされたシート番号ｉに対応する画像を液晶表示装置６１に表示するモードをいう。
【０１３６】
そして、登録モードキーが入力操作されているときは（Ｓ１０３がＹ）、詳しくは後述する登録処理を行って（Ｓ１０４）、続いて、ビュワー５８が閉じられたか否かを判別する（Ｓ１０６）。この処理は、本体操作部９２を介して開閉スイッチ９０から入力する信号がオンからオフに変化したかを判別する処理である。
【０１３７】
そして、ビュワー５８が閉じられていないときは（Ｓ１０６がＮ）、上記の処理Ｓ１０３に戻って、処理Ｓ１０３〜Ｓ１０６を繰り返す。他方、ビュワー５８が閉じられたときは（Ｓ１０６がＹ）、電源部９３からの通電を遮断して（Ｓ１０７）、処理を終了する。
【０１３８】
他方、上記の処理Ｓ１０３の判別で、ユーザから入力操作された操作キーが登録モードキーでない、すなわち表示モードキーであったときは（Ｓ１０３がＮ）、この場合は表示処理を行って（Ｓ１０５）、上記の処理Ｓ１０６の判別を行い、ビュワー５８が開いている間は、処理Ｓ１０３、Ｓ１０５、Ｓ１０６を繰り返して、表示処理を続行し、ビュワー５８が閉じられたとき、表示処理を終了する。
【０１３９】
図２４は、上記の処理Ｓ１０４における登録処理を更に詳しく説明するサブフローチャートである。同図において、先ず、Ｂ−ＣＰＵ８３は、ビュワー５８の見開きされたシート６５ｉの番号ｉを読み取る（Ｓ１０４１）。
【０１４０】
この処理では、Ｂ−ＣＰＵ８３は、アルバム５９の各シート６５ｉの下部の綴じ際に一対になって取り付けられている各近接センサ９５のなかで、見開きされたページの近接センサ９５のペアのみが離れた状態になるので、近接センサ９５から誘導電波で返信される信号を近接センサ読取部８２で読み取ることによってアルバム５９の開かれたページ、すなわちシート６５ｉの番号ｉを認識する。
【０１４１】
次に、Ｂ−ＣＰＵ８３は、情報を検出する（Ｓ１０４２）。この処理は、先ず指輪型センサ７３によりシート６５ｉに貼着された実体物からリンク情報が読み取られ（図１８及び図２２参照）、その読み取られたリンク情報が指輪型センサ７３から転送されてくるのを受信部８５を駆動して受信する処理である（以下、無線か有線かの違いがあるだけで、図１６及び図１７に示したしおり型センサ６３の場合も同様である）。
【０１４２】
そして、その検出（受信）したリンク情報を記憶する（Ｓ１０４３）。この処理は、上記のリンク情報をシート６５ｉの番号ｉと関連付けてメモリ９１の所定の記憶領域に格納する処理である。
【０１４３】
次に、開かれているシートに変更が生じたか否かを判別する（Ｓ１０４４）。この処理は、近接センサ読取部８２から入力する読み取り信号が表すシート番号ｉに変化があるか否かを判別する処理である。
【０１４４】
そして、シートに変更がなければ（Ｓ１０４４がＮ）、処理Ｓ１０４１に戻って、処理Ｓ１０４１〜Ｓ１０４４を繰り返す。これにより、同一シート上に貼着された実体物に付帯されているリンク情報が全て読み取られ、シート番号ｉに関連付けされて、メモリ９１に格納される。
【０１４５】
また、シートに変更があれば（Ｓ１０４４がＹ）、続いて登録処理の終了指示がユーザから本体操作部９２に入力されているかを判別し（Ｓ１０４５）、終了指示がなければ（Ｓ１０４５がＮ）、処理Ｓ１０４１に戻って、処理Ｓ１０４１〜Ｓ１０４５を繰り返す。これにより、各シートごとに、未登録のリンク情報を登録することができる。
【０１４６】
そして、終了指示が入力されたときは（Ｓ１０４５がＹ）、登録処理を終了する。
図２５は、メインフローチャートの処理Ｓ１０５における表示処理を更に詳しく説明するサブフローチャートである。同図において、先ず、Ｂ−ＣＰＵ８３は、ビュワー５８の見開きされたシート６５ｉの番号ｉを読み取る（Ｓ１０５１）。この処理は、上記の登録処理における処理Ｓ１０４１の処理と同一の処理である。
【０１４７】
続いて、当該シート番号に対応した関連情報をメモリから読出す（Ｓ１０５２）。この処理は、メモリ９１に格納されている登録データから、現在開かれているシート６５ｉの番号ｉを検索し、検出された番号ｉと関連付けられて記憶されているリンク情報を読み出す処理である。
【０１４８】
そして、その読み出された関連情報（リンク情報）により、シートに対応する画像を特定する（Ｓ１０５３）。この処理は、シート６５ｉの番号ｉに関連付けられて記憶されているリンク情報を確認する処理である。
【０１４９】
そして、メモリカード８８から上記特定された画像を読み出す（Ｓ１０５４）。この処理は、上記確認されたリンク情報と一致するリンク情報を有する画像データファイル（図１１のリンク情報又は図１２のメモリカード上の画像ファイル名とリンク情報の欄５６参照）をメモリカード８８から検出する処理である。
【０１５０】
そして、その検出された画像データファイルの画像を、画像表示部８７を介して液晶表示装置６１に表示する（Ｓ１０５５）。この処理では、上記特定される画像が複数の場合には、図１６に示したように、複数表示する。そして、メインフローチャートの処理に復帰する。
【実施例７】
【０１５１】
図２６は、実施例７における汎用型のアルバム（実体物用スクラップブック）と汎用型のビュワーと実体物用センサの外観斜視図である。同図に示すビュワー１０７は、図１６に示したようなアルバム一体型のビュワーではなく、アルバムとは別体の汎用型のビュワーである。この図２６に示すビュワー１０７も、表示を開くと電源がオンし、表示を閉じると電源がオフする。そして、このビュワー１０７も、図１６のビュワー５８と同様に見開きの左側には大きく一面に液晶表示装置からなる表示画面６１が設けられ、右下にはスピーカ６２を備えている。
【０１５２】
他方の汎用型のアルバム１０８は、実体物を貼着して保管するための普通のスクラップブックである。すなわち、各ページに例えば上述してきたチケット１やらカタログ６６などの実体物が貼り付けられている。これらのチケット１やカタログ６６には、カメラ３から出力された例えばタグ８付きのシール７が適宜の余白部に貼着されている。
【０１５３】
また、実体物用センサとしてのしおり型センサ１０９は、上記のチケット１やカタログ６６のタグ８に誘起電波を送信して返信されるリンク情報信号１１１を受信し、その受信したリンク情報信号１１１をビュワー１０７に送信する無線型で構成されている。
【０１５４】
このしおり型センサ１０９の内部回路構成は、図２２に示した回路構成と同様である。つまり、カタログ６６のチケット１やカタログ６６等の実体物のタグ８からの返信を受信するセンサとしては、このようなしおり型センサ１０９でも図１８及び図１９に示したような指輪型センサ７３のいずれでも良いものである。また、センサ部分が誘起電波発射部と受信部からなる無線部で、ビュワー１０７への送信部が有線で通信するワイヤードタイプであっても良いことは言うまでも無い。
【０１５５】
また、上記チケット１やカタログ６６等の実体物のシールが図３に示したようなバーコード１１付きのシール９の場合や、図５のように実体物に直接リンク情報が印刷されている場合には、タグセンサではなく図２１の構成のような光学センサが用いられることもまた言うまでもない。
【０１５６】
図２７は、上記汎用型のビュワー１０７の構成プロツク図である。尚、同図には図２０のビュワー５８と同一構成部分には図２０と同一の番号を付与して示している。図２７に示すビュワー１０７は、図２０に示したビュワー５８からメモリ９１を除いた構成となっている。その他の構成は図２０に示したビュワー５８の場合と同一である。
【０１５７】
つまり、本例のビュワー１０７と実体物用スクラップブックとして汎用型アルバムを用いるシステムでは、アルバムの頁と実体物のリンク情報との対応関連を示す対応情報を事前にビュワー１０７に登録する必要がないので、メモリ９１は除かれている。
【０１５８】
センサ１１２としては、実体物のリンク情報が無線タグによる場合には図２６に示した無線タグリーダ付きのしおり型センサ１０９又は図１８及び図１９に示したような指輪型デンサ７３が用いられ、実体物のリンク情報がバーコード、直接印刷番号などによる場合には、光学方式のセンサが用いられる。
【０１５９】
いずれの場合も、センサのタイプとしては、指輪型センサの場合であればワイヤレス、しおり型センサの場合であれば、ワイヤレス又はワイヤードのいずれかが用いられる。
また、図２７において、アルバム１０８の各ページに貼着して保管される実体物１１３は、既述のように、チケット１、カタログ６６、割り箸入れ、展開されたサービスマッチ等の旅行の記念品である。
【０１６０】
そして、これらの実体物１１３に付帯される情報媒体１１４は、タグ付きシール、バーコード印刷シール、既存番号印刷ラベル、直接印刷用インクであり、これらの情報媒体１１４が有するタグから返信される、又はバーコードで表される、又は既存番号で表される、又は直接印刷で表される情報が、メモリカード８８に格納されている画像データファイルとリンクする図１１に示したリンク情報である。
【０１６１】
図２８は、実施例７における汎用アルバムと汎用ビュワーと実体物用センサからなるシステムにおけるビュワーのＢ−ＣＰＵ８３による表示処理のフローチャートである。同図において、先ず、処理が開始されると、図２７に示したＢ−ＣＰＵ８３は、ビュワー１０７が開かれたか否かを判別し（Ｓ２０１）、開かれるまで待機する（Ｓ２０１がＮ）。
【０１６２】
この処理では、図２７に示した開閉スイッチ９０がビュワー１０７の開閉に応じてオン／オフするので、オフ信号からオン信号に変化したことを本体操作部９２を介して受信するまでＢ−ＣＰＵ８３は待機する。
【０１６３】
そして、ビュワー５８が開かれたときは（Ｓ２０１がＹ）、電源部９３の電源をオンにする（Ｓ２０２）。
続いて、Ｂ−ＣＰＵ８３は、センサ１１２より送信され受信部８５で受信された関連情報を検出する（Ｓ２０３）。この処理は、図２７のセンサ１１２から入力するリンク情報信号１１１（図２６参照）を解析してリンク情報を認識する処理である。
【０１６４】
そして、上記の関連情報で特定される画像すべてをメモリカードから検索する（Ｓ２０４）。この処理は、上記の関連情報によって特定される、すなわちセンサ１１２によって取得された関連情報（リンク情報）と一致するリンク情報を図１１に示す付帯データ領域５５に有する画像データファイルすべてをメモリカードから検索する処理である。
【０１６５】
上記に続いて、Ｂ−ＣＰＵ８３は、メモリカードから特定画像を読出す（Ｓ２０５）。この処理は、上記の検索によって検出された画像データファイルすべてを画像処理部８９に読み出す処理である。
【０１６６】
そして、Ｂ−ＣＰＵ８３は、上記読み出した画像データファイルによる画像を表示する（Ｓ２０６）。この処理では、上記特定される（リンク情報が一致することによって読み出された）画像が複数の場合には、液晶表示装置６１上に複数の画像が表示される。
【０１６７】
続いて、Ｂ−ＣＰＵ８３は、アルバム１０８が閉じられたか否かを判別する（Ｓ２０７）。この処理は、本体操作部９２を介して開閉スイッチ９０から入力する信号がオンからオフに変化したかを判別する処理である。
【０１６８】
そして、ビュワー５８が閉じられていないときは（Ｓ２０７がＮ）、上記の処理Ｓ２０３に戻って処理Ｓ２０３〜Ｓ２０７を繰り返す。他方ビュワー１０７が閉じられたときは（Ｓ２０７がＹ）、電源部９３からの通電を遮断して（Ｓ２０８）、処理を終了する。
【実施例８】
【０１６９】
図２９は、実施例８におけるタグ情報読取の方法を示す図である。同図に示すように、この実施例８においては、人体を導体として利用する。すなわち、アルバムとビュワーの操作者が、図外となる片方の手をこれも図外のビュワーに設けられた専用の接点に触っており、もう一方の手７４の指先を、シール７に取り付けられているＩＣタグ８に接触させる。この状態でビュワーの接点から微弱電流を流すことにより、人体を通じて、ＩＣタグ８に電流が流れる。
【０１７０】
この電流を受けて、ＩＣタグ８側では、リンク情報データに基づく変調をかけ、その変調信号がビュワーに戻る。この変調信号をビュワー側で復調することにより、ＩＣタグのリンク情報データがビュワー側に得られる。
【０１７１】
このように、旅先で入手した「物」にリンク情報を付帯させておけば、「物」のリンク情報を読みとる表示装置を使って、旅行先で入手したその「物」を手にすればそのときの撮影画像が自動的に表示されるので、撮影画像を見る楽しみが倍加する。
【０１７２】
尚、画像再生装置としてのビュワーの説明では、その画像データファイル用のメモリ装置をもっぱらカメラのメモリ装置と同一のメモリ装置を用いるようにしているが、これに限ることなく、例えば内蔵のＨＤでもよく、また、ＣＤ−Ｒ、ＣＤ−Ｒ／Ｗ、ＤＶＤ等の記録媒体、更には他の形式のメモリ装置であってもよい。
【０１７３】
また、実体物は写真と共に増える一方のものであるので、アルバム別体方の汎用型ビュワーの場合は勿論であるが、アルバム一体型のビュワーの場合であってもアルバムを着脱自在にして、複数のアルバムを使用できるようにするのが好ましい。この場合は、各アルバム毎に表紙裏などにディスク収納袋を設けて、メモリ装置としてのＣＤ−Ｒ、ＣＤ−Ｒ／Ｗ、ＤＶＤ等の記録媒体を収容して、アルバムと一体に保管するようにするとよい。そして、ビュワーにはメモリカードコネクタに代えて（並設でもよい）ＣＤ−Ｒ、ＣＤ−Ｒ／Ｗ、ＤＶＤ等のドライブ装置のコネクタを設けるようにする。勿論ドライブ装置を内蔵するようにしてもよい。
【０１７４】
上記のアルバムと一体に保管する記録媒体をＣＤ−Ｒ、ＣＤ−Ｒ／Ｗ、ＤＶＤ等のディスク型としたのは、比較的安価な単価で入手し易いからであり、記録媒体はディスク型に限定するものではない。
【図面の簡単な説明】
【０１７５】
【図１】実施例１におけるカメラによる撮影からその撮影に関連して入手したチケットに無線タグ（又は接触タグ）を貼付するまでの操作手順を説明する図である。
【図２】実施例１において無線タグが貼着されたシールを排出するカメラの構成を示すブロック図である。
【図３】実施例２におけるカメラによる撮影からその撮影に関連して入手したチケットにバーコードシールを貼付するまでの操作手順を説明する図である。
【図４】実施例２においてバーコードシールを排出するカメラの関連情報出力部の構成を示すブロック図である。
【図５】実施例３におけるカメラによる撮影からその撮影に関連して入手したチケットにスタンプ（又は印刷）を施すまでの操作手順を説明する図である。
【図６】実施例３においてチケットに印刷又はスタンプを施すカメラの関連情報出力部の構成を示すブロック図である。
【図７】実施例１〜３のいずれかのカメラによって出力されたリンク情報を付帯されたチケットの例を数例示す図である。
【図８】実施例４において予めリンク情報を印字されているラベルを順次出力するカメラの関連情報出力部の構成を示すブロック図である。
【図９】実施例５におけるカメラの関連情報出力部の構成を示すブロック図である。
【図１０】実施例５においてインクにより文字、記号、その他の見た目に分かるリンク情報を印字する例を示す図である。
【図１１】メモリカードに記録される画像データファイルのデータ構成を示す図である。
【図１２】種々の実体物と画像データとの関係を更に説明する図表である。
【図１３】タグ付きシール、バーコードシール、又は連番印刷付きラベルを発行するＣ−ＣＰＵによって行われる処理のメインフローチャートである。
【図１４】メインフローチャートの情報媒体設定処理を更に詳しく説明するサブフローチャートである。
【図１５】メインフローチャートの情報媒体出力処理を更に詳しく説明するサブフローチャートである。
【図１６】実施例６における実体物に基づいて行われる具体的な画像データの表示態様を模式的に示す図である。
【図１７】実施例６におけるビュワーに接続されるしおり型センサの構成と使用方法を簡単に示す斜視図である。
【図１８】実施例６におけるビュワーに使用される指輪型センサとその使用方法を説明する図である。
【図１９】図１８に示す指輪型センサのＡ矢視断面図を上に示し、そのＢ−Ｂ´断面矢視図を下に示す図である。
【図２０】実施例６におけるアルバム一体型のビュワー各部の構成を示すブロック図である。
【図２１】実施例６におけるしおり型センサの回路構成を示すブロック図である。
【図２２】実施例６における指輪型センサの回路構成を示すブロック図である。
【図２３】実施例６におけるアルバムと一体型のビュワーにおける処理を示すメインフローチャートである。
【図２４】実施例６におけるメインフローチャートの登録処理を更に詳しく説明するサブフローチャートである。
【図２５】実施例６におけるメインフローチャートの表示処理を更に詳しく説明するサブフローチャートである。
【図２６】実施例７における汎用型のアルバム（実体物スクラップブック）と汎用型のビュワーと実体物用センサの外観斜視図である。
【図２７】実施例７におけるビュワーの構成ブロック図である。
【図２８】実施例７における汎用アルバムと汎用ビュワーと実体物用センサからなるシステムにおけるビュワーのＢ−ＣＰＵによる表示処理のフローチャートである。
【図２９】実施例８におけるタグ情報読取の方法を示す図である。
【符号の説明】
【０１７６】
１      チケット
１ａ  余白部
２      写真（画像データ）
３      カメラ
４      表示画面
５      シャッタボタン
６      シール排出口
７      シール
７−１  シール本体
７−２  台紙（剥離紙）
８      無線タグ（又は接触タグ）
９      シール
９−１  シール本体
９−２  台紙（剥離紙）
１１    バーコード
１２    番号印刷
１４    カメラ本体
１５（１５ａ、１５ｂ、１５ｃ、１５ｄ、１５ｅ）  関連情報出力部
１６    ＣＰＵ
１７
１８    撮像部
１９    音声処理部
２０    タグライタ
２１    コントローラ
２１    画像処理部
２２    画像表示部
２３    メモリカード
２４    本体操作部
２５    音声出力部
２６    スピーカ接続端子
２７    撮像素子
２８    レンズ
２９    連続シール
３１    送り部
３２    送受信部
３３    アンテナ
３４    プリン制御部
３５    リンク情報／コード変換部
３６    印字部
３７    シール送り部
３８    連続シール
３９    プリンタ制御部
４１    印字部
４２    送り制御部
４３    ラベル送り部
４４    連続ラベル
４５    ラベル
４６    リンク情報コード変換部
４７    プリンタ制御部
４８    タグライタ
４９    印字部
５１    インク吐出部
５２    インクタンク
５３    チップ状無線タグ
５４    インク
５５    付帯データ領域
５６    メモリカード上の画像ファイル名とリンク情報の欄
５６−１、５６−２  子欄
５７    タグとタグに記録されるリンク情報の欄
５７−１、５7−２、５7−３  子欄
５８    関連画像表示装置（ビュワー）
５８−１  見開き左側
５８−２  見開き右側
５９    アルバム
６１    液晶表示装置
６２    スピーカ
６３    しおり型センサ
６４    接続ケーブル
６５ｉ（ｉ＝１、２、・・・）  アルバムのシート（ページ）
６６    カタログ
６７、６８、６９  画像
７１    テキスト
７２    レンズ
７３    指輪型センサ
７４    人差し指
７５    ハウジング
７６    内部
７７    フレキシブル基板
７８    デバイス
７９    電源電池
８１    アンテナ
８２    近接センサ読取部
８３    Ｂ−ＣＰＵ
８４    バス
８５    受信部
８６    音声処理部
８７    画像表示部
８８    メモリカード
８９    画像処理部
９０    開閉スイッチ
９１    メモリ
９２    本体操作部
９３    電源部
９４    音声出力部
９５    近接センサ
９６    アンテナ
９７    撮像部（ＣＣＤ）
９８    読み取り部
９９    送信コード変換部
１０１  送信部
１０２  受信部
１０３  増幅部
１０４  読み取り部
１０５  送信コード変換部
１０６  送信部
１０７  ビュワー
１０８  アルバム（実体物用スクラップブック）
１０９  しおり型センサ
１１１  リンク情報信号
１１２  センサ
【図２】
2006148610.tif 000003
【図４】
2006148610.tif 000004
【図６】
2006148610.tif 000005
【図８】
2006148610.tif 000006
【図９】
2006148610.tif 000007
【図１０】
2006148610.tif 000008
【図１１】
2006148610.tif 000009
【図１２】
2006148610.tif 000010
【図１３】
2006148610.tif 000011
【図１４】
2006148610.tif 000012
【図１５】
2006148610.tif 000013
【図１６】
2006148610.tif 000014
【図１９】
2006148610.tif 000015
【図２０】
2006148610.tif 000016
【図２１】
2006148610.tif 000017
【図２２】
2006148610.tif 000018
【図２３】
2006148610.tif 000019
【図２４】
2006148610.tif 000020
【図２５】
2006148610.tif 000021
【図２６】
2006148610.tif 000022
【図２７】
2006148610.tif 000023
【図２８】
2006148610.tif 000024
【図１】
2006148610.tif 000025
【図３】
2006148610.tif 000026
【図５】
2006148610.tif 000027
【図７】
2006148610.tif 000028
【図１７】
2006148610.tif 000029
【図１８】
2006148610.tif 000030
【図２９】
2006148610.tif 000031